(57)【要約】【課題】駆動回路をケースに内蔵した照明装置において、照明装置の小型化を図るとともに、駆動回路に放電灯からの熱が直接伝搬せず、安定した放電灯の点灯制御が可能となる照明装置を提供する。【解決手段】口金の外径より大きな径を有する貫通穴が中央に形成されており、該貫通穴内に口金が位置し且つ該貫通穴を画成する外壁と口金とが非接触となるようにケース内に取り付けられている駆動回路部を備える照明装置を提供する。これにより反射板の裏側とそれと対向するケースの内壁面との間の空間をより有効活用して照明装置の小型化を図るとともに、駆動回路に放電灯からの熱が直接伝搬しないようにする。【選択図】図１
2009245868.tif 000002
【特許請求の範囲】
【請求項１】
ケースと、
底部及び開口部を有し、該底部から該開口部に向かって開口面積が大きくなる反射板と、
前記反射板の前記底部に配置された放電灯と、
前記放電灯を支持するために前記反射板の前記底部に取り付けられ且つ前記底部から前記開口部側とは反対側に突出するように取り付けられた口金と、
前記口金の外径より大きな径を有する貫通穴が中央に形成されており、該貫通穴内に前記口金が位置し且つ該貫通穴を画成する外壁と前記口金とが非接触となるように前記ケース内に取り付けられている駆動回路部と、
前記口金と前記駆動回路部とを繋ぐ電気コードとを備える照明装置。
【請求項２】
前記駆動回路部の外壁の一部の面が前記ケースの壁の一部の面と直接接触している請求項１に記載の照明装置。
【請求項３】
前記駆動回路部が、基材と、該基材上に実装され、前記放電灯に供給する電力を制御する回路群と、該回路群を覆うように設けられた絶縁部と、前記基材の回路群側とは反対側に設けられた放熱板とを有し、該放熱板の表面の一部の面が前記ケースの壁の一部の面と直接接触している請求項２に記載の照明装置。
【請求項４】
所定の照明装置の口金の外径より大きな径を有する第１の貫通穴が中央に形成された基材と、
前記基材上に実装され、前記照明装置の放電灯に供給する電力を制御する回路群と、
前記回路群を覆うように設けられ、前記口金の外径より大きな径を有し且つ第１の貫通穴の中心軸と同軸上に位置する第２の貫通穴が形成されている絶縁部とを備える駆動装置。
【発明の詳細な説明】
【技術分野】
【０００１】
本発明は照明装置及び駆動装置に関し、より詳細には、車両用のヘッドランプや補助ランプ等に適用して好適な照明装置及びその駆動装置に関する。
【背景技術】
【０００２】
自動車等のヘッドランプや自動車等にオプションで取り付け可能な補助ランプにおいて、従来、種々のランプが開発されている。これらのランプ（照明装置）として、近年、照度が非常に高いとともに長寿命化が図られたＨＩＤ（High Intensity Discharge）型のランプが実用化されている。ＨＩＤ型のランプは、点灯時に２００００Ｖなどの非常に高圧の電圧を印加し、その後の駆動電圧についても比較的高い電圧で駆動する必要があるため、ランプの駆動装置が比較的大掛かりである。即ち、ＨＩＤ型のランプを使用した照明装置は、放電灯、口金、該口金が取り付ける反射板、放電灯に供給される電力を制御する駆動回路、反射板の前面に取り付けられたレンズ及びこれらの構成機材を収納するケースを備える。また、駆動回路内には、点灯する際に放電灯に高圧パルスを印加するイグナイタと、放電灯に電力を安定して供給するバラスト回路が含まれる。
【０００３】
上述したような照明装置では、照明装置の小型化や組立作業の容易性といった観点から様々な構造の照明装置が提案されている（例えば、特許文献１〜４参照）。
【０００４】
特許文献１には、放電灯、口金、反射板等を内蔵する照明装置本体と、駆動回路とを別個に分けて、この両者を電気コードで接続する照明装置が提案されている。すなわち、特許文献１では、放電灯、口金、反射板等と駆動回路とがそれぞれ別のケースに収納された照明装置が提案されている。
【０００５】
また、放電灯、口金、反射板等と、駆動回路とが一つのケース内に収納されている照明措置の例として、例えば特許文献２には、お椀状（ラッパ状）の反射板の側面に対向するケースの内壁面上に駆動回路を設置した照明装置が提案されている。また、特許文献３には、口金をイグナイタと一体化し、バラスト回路を口金（イグナイタ）の後方側（口金の放電灯側とは反対側）に配置した照明装置が提案されている。さらに、特許文献４には、駆動回路と口金を一体化した照明装置が提案されている。
【０００６】
【特許文献１】特開平０５−１９８２０３号公報
【特許文献２】特開２００１−１０１９０８号公報
【特許文献３】特開２００２−３６７４１４号公報
【特許文献４】特開２００１−１０１９０９号公報
【発明の開示】
【発明が解決しようとする課題】
【０００７】
上述した特許文献１で提案されている照明装置では、照明装置本体と駆動回路とをそれぞれ別のケースに収納し、両者を電気コードで接続しているが、このような構成の照明装置では、両者をできる限り近くに配置することが好ましい。これは、駆動回路で制御する電気信号は高電圧であるので、電気コードが長くなると、電力供給中に電気コード内で電圧が低下して安定した電力供給ができなくなるおそれがあるためである。
【０００８】
また、特許文献１の照明装置では、上述のように、駆動回路を照明装置本体の近くに配置する必要があるので、この照明装置を、例えば車両の補助ランプ等に適用した場合には、駆動回路が外環境に曝されるおそれがある。この場合、駆動回路の耐環境性を向上させる必要があり、駆動回路を収納するケースの構造が複雑になりコストも高くなる。
【０００９】
それに対して、引用文献２〜４で提案されている照明装置では、駆動回路と、放電灯、口金、反射板等とが同じケースに収納されるので、上述した特許文献１の照明装置における懸案事項をあまり考慮する必要はない。しかしながら、引用文献２〜４で提案されている照明装置では、次のような問題がある。
【００１０】
特許文献２で提案されている照明装置では、上述のように、お椀状の反射板の側面に対向するケースの内壁面上に駆動回路を設置している。それゆえ、反射板の側面とケースの内壁面との間の空間を広げる必要があり、ケースの外径が大きくなるという問題が生じる。
【００１１】
また、特許文献３で提案されている照明装置では、上述のように、お椀状の反射板の裏に設けられた口金（イグナイタ付き）の後方側にバラスト回路を配置するので、ケースの長手方向（放電灯の延伸方向）の寸法が長くなるという問題が生じる。
【００１２】
上述のように、特許文献２及び３で提案されている照明装置では、いずれも、照明装置が大きくなるという問題が生じる。
【００１３】
また、特許文献４で提案されている照明装置では、駆動回路と口金とが一体化されているので、放電灯の点灯により生じる熱が駆動回路に直接伝搬し、その熱により駆動回路内の電子部品が破壊されるおそれがある。この場合、正常なランプ点灯ができなくなるという問題が生じる。
【００１４】
そこで、本発明は上記問題を解決するためになされたものである。本発明の目的は、駆動装置の駆動回路をケースに内蔵した場合において、照明装置の小型化を図るとともに、駆動回路の放熱を安定して行えるようにすることである。
【課題を解決するための手段】
【００１５】
上記課題を解決するために、本発明の照明装置は、ケースと、底部及び開口部を有し、該底部から該開口部に向かって開口面積が大きくなる反射板と、該反射板の底部に配置された放電灯とを備える構成とした。また、本発明の照明装置は、放電灯を支持するために反射板の底部に取り付けられ且つ底部から開口部側とは反対側に突出するように取り付けられた口金を備える構成とした。また、本発明の照明装置は、口金の外径より大きな径を有する貫通穴が中央に形成された駆動回路部と、口金と駆動回路部とを繋ぐ電気コードとを備える構成とした。さらに、本発明の照明装置では、駆動回路部の貫通穴内に口金が位置し且つ該貫通穴を画成する駆動回路部の外壁と口金とが非接触となるように、駆動回路部をケース内に取り付けた。
【００１６】
本発明の照明装置では、駆動回路部の中央に形成された貫通穴内に、口金が非接触で挿入された状態となる。すなわち、本発明では、インダクタ及びバラスト回路を含む駆動回路部が反射板の裏に配置され且つ口金を取り囲むように設けられている。それゆえ、本発明では、反射板の裏側とそれと対向するケースの内壁面との間の空間をより有効活用することができ、放電灯（口金）の延伸方向における照明装置の寸法をより短くすることができる。
【００１７】
また、本発明の照明装置では、駆動回路部が反射板の後方に設けられており、特許文献２の照明装置のように、反射板の側面に対向するケースの側面の一部に駆動回路部を設けない。それゆえ、本発明では、反射板の側面とケースとの間の空間を狭くすることができ、ケースの外径を小さくすることができる。
【００１８】
さらに、本発明の照明装置では、駆動回路部の中央に形成された貫通穴内に、口金が非接触で挿入された状態となるように、駆動回路部がケースに取り付けられている。すなわち、本発明の照明装置のケース内部では、放電灯（口金）と駆動回路部とが互いに隔離された状態で配置される。それゆえ、本発明では、放電灯で発生した熱が直接駆動回路部に伝搬しない。
【００１９】
また、上記課題を解決するために、本発明の駆動装置（駆動回路部）は、所定の照明装置の口金の外径より大きな径を有する第１の貫通穴が中央に形成された基材を備える構成とした。また、本発明の駆動装置は、基材上に実装され、照明装置の放電灯に供給する電力を制御する回路群を備える構成とした。さらに、本発明の駆動装置は、回路群を覆うように設けられ、口金の外径より大きな径を有し且つ第１の貫通穴の中心軸と同軸上に位置する第２の貫通穴が形成されている絶縁部を備える構成とした。
【００２０】
本発明の駆動装置には、上述のように、その中央に所定の照明装置の口金の外径より大きな径を有する第１及び第２の貫通穴から構成される貫通穴が形成されている。それゆえ、口金が駆動装置の該貫通穴内に位置し且つ口金が該貫通穴を画成する駆動装置の外壁と接触しないようにケース内に配置することができる。この場合、上記本発明の照明装置で説明したように、照明装置の寸法を小さくすることができる。また、ケース内で、放電灯（口金）と駆動装置とを隔離した状態で配置することができるので、放電灯で発生した熱が直接駆動装置に伝搬しない。
【発明の効果】
【００２１】
上述のように、本発明の照明装置及び駆動装置では、照明装置の寸法を小さくすることができ、ケース内で放電灯（口金）と駆動装置（駆動回路部）とを互いに隔離した状態で配置することができる。従って、本発明によれば、照明装置の小型化を図るとともに、駆動装置に放電灯からの熱が直接伝搬せず、安定した放電灯の点灯制御が可能となる。
【発明を実施するための最良の形態】
【００２２】
以下に、本発明の照明装置及び駆動装置の実施形態の例を、図面を参照ながら具体的に説明する。ただし、本発明は以下の実施形態に限定されるものではない。
【００２３】
［第１実施形態］
第１実施形態に係る照明装置の構成を図１及び２を参照しながら説明する。図１は、本実施形態の照明装置の概略構成図である。また、図２（ａ）は駆動回路部８の上面図であり、図２（ｂ）は図２（ａ）中のＡ−Ａ断面図である。
【００２４】
照明装置１００は、図１に示すように、主に、ケース１と、反射板２と、放電灯３と、口金４と、駆動回路部８と、反射板２の放電灯３側の面（以下では、前面ともいう）に対向する位置に設けられたレンズ１０とを備える。
【００２５】
ケース１は、金属製ケースであり、略砲弾状の形状を有する砲弾型と称されるタイプである。なお、ケース１の形成材料としては鉄などの任意の金属材料が用い得る。ケース１の外壁には、図１に示すように、照明装置１００を外部に取り付けるための支持具１２がリベット１３（鋲の一種）により固定されている。また、ケース１には、外部の電源バッテリと照明装置１００内の駆動回路部８とを接続する電源コード１４の挿入口１５が設けられている。
【００２６】
反射板２は、お椀状の板状部材である。反射板２は、お椀状の金属板の前面（凹状面）に、アルミニウム膜を蒸着法で積層することにより作製される。なお、反射板２の形成材料としては鉄などの任意の金属材料のほか、不飽和ポリエステル樹脂などの樹脂材料が用い得る。本実施形態では、反射板２の開口部の縁がケース１の開口部上に取り付けられている。また、反射板２の底部には貫通穴が形成されており、口金４に装着された放電灯３が、この貫通穴を介して反射板２の前面に突き出るように配置する。口金４は、反射板２の底部の放電灯３側とは反対側の面（以下では、裏面ともいう）に固定部材５を介して固定されている。
【００２７】
放電灯３には、ＨＩＤ（High Intensity Discharge）ランプを用いる。ＨＩＤランプは金属原子の高圧蒸気中のアーク放電を利用した光源である。すなわち、ＨＩＤランプは電極間の放電を利用しているので、フィラメントがなく、白熱電球に比べて長寿命、高効率といった特徴がある。
【００２８】
レンズ１０は、お椀状のガラス製板状部材である。なお、図１に示すように、レンズ１０の外周部を反射板２の開口部縁上に取り付け、レンズ１０の凹面と反射板２の前面とが対向するようにレンズ１０を配置する。そして、リム状の金属製固定部材１１により、レンズ１０をケース１及び反射板２に固定している。
【００２９】
また、口金４と駆動回路部８とは、図１に示すように、２本の電気コード９により接続される。また、駆動回路部８からは２本の電源コード１４が延びており、ケース１に設けられた挿入口１５を介して電源コード１４が外部の電源バッテリに接続される。
【００３０】
駆動回路部８は、放電灯３に供給する電力を制御するものであり、ケース１に取り付けられている。具体的には、図１に示すように、駆動回路部８の放熱板７の側部７ｂがケース１の内壁側面の一部に直接面接触するように、駆動回路部８がケース１に取り付けられている。本実施形態ではリベット１３により駆動回路部８がケース１に固定されている。
【００３１】
また、駆動回路部８の中央には、口金４の外径より大きな径を有し且つ開口形状が円形の貫通穴８ｃが形成されている。そして、図１に示すように、駆動回路部８の貫通穴８ｃ内に口金４が配置され且つ貫通穴８ｃを画成する駆動回路部８の内壁（図２中の内壁６ｄ及び７ｄ）と口金４とが接触しないように、駆動回路部８がケース１に取り付けられている。
【００３２】
なお、本実施形態では放熱板７とケース１とを所定の固定部材で固定しているが、本発明はこれに限定されない。例えば、低熱伝導性の支持部材を介して駆動回路部８を反射板２に取り付け、照明装置１００を組み立てた完了時に放熱板７とケース１とが面接触するような構造にしてもよい。ただし、放熱効率を考慮した場合には、本実施形態のように、放熱板７とケース１とを一体化するように放熱板７をケース１に固定することが好ましい。
【００３３】
また、駆動回路部８は、図２（ａ）及び２（ｂ）に示すように、回路部本体６と、放熱板７とを備える。回路部本体６の中央には、口金４の外径より大きな径を有し且つ開口形状が円形の貫通穴８ａが形成され、回路部本体６の外周形状は円形状である。すなわち、本実施形態では、回路部本体６はドーナッツ状の形状を有する。
【００３４】
回路部本体６は、図２（ａ）及び２（ｂ）に示すように、基材６ａと、基材６ａ上に実装された電子回路群６ｂと、電子回路群６ｂを覆うように設けられた絶縁部６ｃと、絶縁部６ｃの内周側面及び外周側面にそれぞれ設けられた円筒状ケース６ｅ及び６ｆとを備える。
【００３５】
基材６ａは積層ガラスエポキシ基板である。電子回路群６ｂは、放電灯３に供給する電力の制御に必要な所定の電子部品（例えば図２（ａ）中の部品６１〜６３等）及び昇圧トランス６４及び６５を有し、それらが所定の作用を奏するように互いに電気接続されている。また、絶縁部６ｃはエポキシ樹脂で形成されている。この絶縁部６ｃは、電子回路群６ｂが配置された基材６ａ上に液状のエポキシ樹脂を充填して、固化させることで形成される。
【００３６】
絶縁部６ｃの内周側面及び外周側面にそれぞれ設けられた円筒状ケース６ｅ及び６ｆは、ポリブチレンテレフタレート樹脂で形成されている。円筒状ケース６ｅ及び６ｆは、絶縁部６ｃを形成する際に基材６ａ及び電子回路群６ｂ上に充填された液状のエポキシ樹脂が基材６ａ上から流れ出すことを防止するために設けられたものである。
【００３７】
また、後述するように、本実施形態では、口金４と駆動回路部８とを電気コード９で繋ぐ際には、電気コード９の先端に設けられたコネクタを駆動回路８の接続ピン６６に差し込む。それゆえ、本実施形態の駆動回路部８では、絶縁部６ｃを形成する際に、電気コード９のコネクタが差し込まれる領域にもエポキシ樹脂が流れ込まないようにする必要がある。そこで、本実施形態では、図２（ａ）及び２（ｂ）に示すように、接続ピン６６の周りには、円筒状ケース６ｇを設け、絶縁部６ｃの形成時に円筒状ケース６ｇ内にエポキシ樹脂が入り込まないようにしている。なお、この円筒状ケース６ｇの内径は、電気コード９のコネクタの外径より若干大きくなる。
【００３８】
放熱板７は、お椀状（コップ状）のアルミニウム製板部材であり、図２（ａ）及び２（ｂ）に示すように、底部７ａと、底部７ａの外周部に設けられた側部７ｂとを備える。なお、放熱板７の形成材料としては、銅や金など任意の金属材料が用いることができるが、放熱の効率、重量、強度からアルミニウムが最も好ましい。
【００３９】
放熱板７の底部７ａの中央には、口金４の外径より大きな径を有し且つ開口形状が円形の貫通穴８ｂが形成されている。また、この貫通穴８ｂは、回路部本体６の貫通穴８ａの中心軸と同軸上に位置するように形成されている。なお、本実施形態では、放熱板７の貫通穴８ｂの径を回路部本体６の貫通穴８ａの径より若干小さくし、底部７ａの外径は、回路部本体６の外径とほぼ等しくなるようにした。
【００４０】
放熱板７の側部７ｂは、図１に示すように、ケース１の内壁側面の一部に直接面接触しており、側部７ｂの形状は、側部７ｂと対向するケース１の内壁側面形状と同じ形状である。
【００４１】
また、本実施形態では、図２（ａ）及び２（ｂ）に示すように、回路本体部６の基材６ａと放熱板７の底部７ａとが接するように、回路本体部６が放熱板７の底部７ａ上に載置されている。そして、回路本体部６の基材６ａと放熱板７とは、ボルト６８及びナット６７で挟み込まれ、これにより放熱板７が回路本体部６に固定されている。
【００４２】
なお、本実施形態では、放熱板７の中央に貫通穴８ｂを設けたが、これは主に、口金４と駆動回路部８とを繋ぐ電気コード９をケース１内で引き回す空間を確保するためである。それゆえ、例えば、口金４の底面と放熱板７の底部７ｂとの間に十分な空間が確保できる場合には、放熱板７の底部７ｂに貫通穴８ｂを設けなくてもよい。ただし、あらゆる形状の口金に対する適用可能性や口金と駆動回路部とを確実に隔離することなども考慮すると、本実施形態のように、放熱板７の底部７ａの中央に口金４の外径より大きな径を有する貫通穴８ｂを形成することが好ましい。
【００４３】
次に、駆動回路部８の回路構成を、図３を参照しながら説明する。図３中の破線で囲まれた部分が駆動回路部８の回路構成であり、駆動回路部８の入力端子８１には外部の電源バッテリ８０が接続されており、駆動回路部８の出力端子８７には放電灯３が接続されている。
【００４４】
なお、本実施形態の駆動回路部８における放電灯３への供給電力の制御方式は、直流型方式とする。この方式は放電灯３に流れる電流の方向が常に一方向である方式である。ただし、放電灯３の供給電力の制御方式には交流型方式、すなわち、放電灯３に流れる電流の方向を所定周期で切り替える方式もある。本発明はこの交流型方式の駆動回路部にも適用可能である。
【００４５】
駆動回路部８内の回路構成は、図３に示すように、安定器８２と、放電用昇圧器８３と、起動用昇圧器８４と、安定化電源回路８５と、制御回路８６とを含む構成となっている。駆動回路部８内の各部は次のように接続されている。
【００４６】
安定器８２の入力端子は駆動回路部８の入力端子８１を介して外部の電源バッテリ８０に接続されており、安定器８２の出力端子は放電用昇圧器８３に接続されている。
【００４７】
放電用昇圧器８３の出力端子は駆動回路部８の出力端子８７を介して放電灯３に接続されている。また、放電用昇圧器８３の出力端子は起動用昇圧器８４にも接続されており、起動用昇圧器８４の出力端子は駆動回路部８の出力端子８７を介して放電灯３に接続されている。
【００４８】
また、安定化電源回路８５の出力端子は駆動回路部８の入力端子８１及び安定器８２に接続されており、安定化電源回路８５の入力端子は制御回路８６に接続されている。制御回路８６は放電用昇圧器８３に接続されている。
【００４９】
放電用昇圧器８３は、外部の電源バッテリ８０から安定器８２を介して供給された電圧（例えば１２Ｖなど）を、放電灯３の点灯状態を維持させるために必要な所定の高電圧（例えば８５Ｖ程度）に昇圧するトランスである。起動用昇圧器８４は、放電灯３の点灯時（起動時）に必要な高圧パルスを放電灯３に印加するトランス（いわゆる、イグナイタ）である。起動用昇圧器８４が出力する高圧パルスは、例えば２００００Ｖ程度の非常に高い電圧のパルスである。
【００５０】
本実施形態で用いる放電灯３はＨＩＤランプであるので、最初に起動する際には、放電灯３内の電極間でアーク放電を発生させる必要がある。放電前は、放電灯３内の電極間のインピーダンスは非常に大きくなっているので、点灯時には、点灯後に点灯状態を維持するために必要な電圧よりさらに高い電圧を印加しなければならない。それゆえ、放電灯３を点灯する際には、放電用昇圧器８３で昇圧された電圧を、起動用昇圧器３４でさらに昇圧して所定の高電圧を得る。なお、本実施形態では、点灯後は、起動用昇圧器３４は自動的にオフになり、点灯を維持するための電力は、放電用昇圧器８３から直接放電灯３に供給される回路構成になっている。
【００５１】
また、安定化電源回路８５は、様々な外部環境の影響により放電灯３内の消費電力が変動した際に、その変動分を補償して放電灯３が所定の電力を安定して消費するよう所定の電圧を放電用昇圧器８３に供給するためのものである。そして、制御回路８６は、放電用昇圧器８３に供給されている電力を監視しながら安定化電源回路８５をフィードバック制御する回路である。
【００５２】
次に、本実施形態における口金４と駆動回路部８との接続構造について、図４を参照しながらに説明する。口金４から出た２本の電気コード９の先端にはそれぞれ、図４に示すように、コネクタ９０が設けられている。コネクタ９０は、電気コード９内の電線と接続された金属製の接続端子９１と、電線９及び接続端子９１の接続部、コード支持部９３並びに接続端子９１をカバーするための絶縁材料製のカバー部９２とを有する（図４中の破線で囲まれた図を参照）。
【００５３】
口金４と、駆動回路部８との接続は照明装置１００を組み立てる際に行う。具体的には、口金４が取り付けられた反射板２を、駆動回路部８が取り付けられたケース１に取り付ける際に、電気コード９のコネクタ９０を駆動回路部８の接続ピン６６に差し込んで接続する。
【００５４】
上述のように、本実施形態では、駆動回路部８が反射板２の裏面で口金４を取り囲むように設けられている。それゆえ、反射板２の裏面と、それに対向するケース１の底部との間の空間を有効活用することができ、照明装置の放電灯３の延伸方向における寸法を、より小さくすることができる。また、本実施形態では、駆動回路部８を反射板２の裏面側に設けており、特許文献２の照明装置のように、反射板の側面に対向するケースの内壁側面に駆動回路部を設けていない。それゆえ、本実施形態では、反射板２の側面とケース１との間の空間を狭くすることができ、ケース１の外径を小さくすることができる。すなわち、本実施形態では、従来に比べて、照明装置をより一層小型化することができる。
【００５５】
また、本実施形態では、上述のように、駆動回路部８の中央に形成された貫通穴８ｃ内に、口金４が非接触で挿入された状態となる。すなわち、ケース１内で、放電灯３（口金４）と駆動回路部８とが互いに隔離された状態で配置されている。それゆえ、本実施形態では、放電灯３で発生した熱が直接駆動回路部８に伝搬せず、安定した放電灯３の点灯制御が可能となる。
【００５６】
さらに、本実施形態では、上述のように、駆動回路部８の放熱板７がケース１に直接接触しているので、駆動回路部８で発生した熱を、放熱板７を介してケース１に放熱することができ、駆動回路部８の冷却効果を増大させることができる。
【００５７】
［第２実施形態］
第１実施形態では、外形が砲弾状の形状を有する照明装置に本発明を適用した例を説明したが、第２実施形態では、外形が箱型形状を有する照明装置（以下では、角型の照明装置ともいう）に本発明を適用した例を説明する。
【００５８】
第２実施形態の照明装置の概略構成を図５（ａ）及び５（ｂ）に示す。図５（ａ）は照明装置２００の上面図であり、図５（ｂ）は同図（ａ）中のＢ−Ｂ断面である。本実施形態の照明装置２００は、図５（ａ）及び５（ｂ）に示すように、主に、ケース１′と、反射板２′と、放電灯３と、口金４と、放電灯３に供給する電力を制御する駆動回路部８′と、反射板２′の前面に設けられたレンズ１０′とを備える。すなわち、本実施形態の照明装置２００では、図５（ａ）及び５（ｂ）に示すように、その外形が第１実施形態と異なるが、構成部材は第１実施形態と同じである。
【００５９】
本実施形態のケース１′は、図５（ａ）及び５（ｂ）に示すように、箱型形状を有する。また、反射板２′の外周形状は略矩形状である。それ以外は、第１実施形態のケース１及び反射板２とそれぞれ同様の構成とする。また、本実施形態の放電灯３及び口金４は第１実施形態と同様の構成とする。さらに、口金４と駆動回路部８′とは、第１実施形態と同様に、電気コード９で接続し、外部の電源バッテリと駆動回路部８′とは、電源コード１４で接続する。
【００６０】
また、駆動回路部８′の中央には、図５（ｂ）に示すように、第１実施形態と同様に、口金４の外径より大きな径を有し且つ開口形状が円形の貫通穴８ｃが形成されている。そして、その貫通穴８ｃ内に口金４が配置され且つ貫通穴８ｃを画成する駆動回路部８′の内壁と口金４とが接触しないように、駆動回路部８′がケース１′に取り付けられている。ただし、本実施形態の照明装置２００では、図５（ｂ）に示すように、駆動回路部８′のケース１′への取り付け形態が第１実施形態と異なる。
【００６１】
第１実施形態では、ケース１の底部が曲面であったので、駆動回路部８′の側面部（具体的には、放熱板７の側部７ｂ）をケース１内壁側面に取り付けた。一方、本実施形態ではケース１′は箱型形状としたので、図５（ｂ）に示すように、駆動回路部８′の底部をケース１′の底部に取り付ける。また、本実施形態では、ボルト６８及びナット６７により、駆動回路部８′がケース１′に固定されている。
【００６２】
次に、図６（ａ）及び６（ｂ）を参照しながら、本実施形態の駆動回路部８′の構成を説明する。図６（ａ）は駆動回路部８′の上面図であり、図６（ｂ）は同図（ａ）中のＣ−Ｃ断面である。
【００６３】
駆動回路部８′は、図６（ａ）及び（ｂ）に示すように、回路部本体６′と、放熱板７′とを備える。回路部本体６′の中央には口金４の外径より大きな径を有し且つ開口形状が円形の貫通穴８ａが形成されている。また、回路部本体６′の外周形状は矩形状とする。
【００６４】
回路部本体６′は、基材６ａ′と、基材６ａ′上に実装された電子回路群６ｂと、電子回路群６ｂを覆うように設けられた絶縁部６ｃ′と、絶縁部６ｃ′の内周側面及び外周側面にそれぞれ設けられた円筒状ケース６ｅ及び矩形筒状ケース６ｆ′とを備える。
【００６５】
なお、円筒状ケース６ｅ及び矩形筒状ケース６ｆ′は、エポキシ樹脂からなる絶縁部６ｃ′を形成する際に、エポキシ樹脂が基材６ａ上から流れ出すことを防止するために設けられた筒状部材である。また、本実施形態においても、電気コード９のコネクタが差し込まれる部分にエポキシ樹脂が流れ込まないようにするために、接続ピン６６の周りには、円筒状ケース６ｇが設けられている。
【００６６】
放熱板７′は、図６（ａ）及び（ｂ）に示すように、矩形状のアルミニウム製平板部材である。そして、放熱板７′の中央には、口金４の外径より大きな径を有し且つ開口形状が円形の貫通穴８ｂが形成されている。放熱板７′の上面の面積は、回路部本体６′の底面より大きくし、貫通穴８ｂの径は回路部本体６′の貫通穴８ａの径より若干小さくした。また、放熱板７′の貫通穴８ｂは回路部本体６′の貫通穴８ａの中心軸と同軸上に形成されている。
【００６７】
また、本実施形態では、図６（ａ）及び（ｂ）に示すように、回路本体部６′の基材６ａ′と放熱板７′とが接するように、回路本体部６′が放熱板７′上に載置されている。
【００６８】
上述のように、本実施形態では、駆動回路部８′が反射板２′の裏面で口金４を取り囲むように設けられている。それゆえ、反射板２′の裏面と、それに対向するケース１の底部との間の空間を有効活用することができ、照明装置２００の放電灯３の延伸方向における寸法（照明装置２００の厚さ）を、より小さくすることができる。特に、本実施形態のように、駆動回路部８′の底面をケース１′の底部に直接接触させた場合には、照明装置２００の厚さをより一層薄くすることができる。
【００６９】
また、本実施形態では、駆動回路部８′を反射板２′の裏面側に設けており、特許文献２の照明装置のように、反射板の側面に対向するケースの内壁側面に駆動回路部を設けていない。それゆえ、本実施形態では、反射板２′の側面とケース１′との間の空間を狭くすることができ、ケース１′（照明装置２００）の幅を小さくすることができる。
【００７０】
すなわち、本実施形態では、従来に比べて、照明装置をより一層小型化することができる。
【００７１】
また、本実施形態では、上述のように、駆動回路部８′の中央に形成された貫通穴８ｃ内に、口金４が非接触で挿入された状態となる。すなわち、ケース１′内で、放電灯３（口金４）と駆動回路部８′とが互いに隔離された状態で配置されている。それゆえ、本実施形態では、放電灯３で発生した熱が直接駆動回路部８′に伝搬せず、安定した放電灯３の点灯制御が可能となる。
【００７２】
さらに、本実施形態では、上述のように、駆動回路部８′の放熱板７′がケース１′に直接接触しているので、駆動回路部８′で発生した熱を放熱板７′を介してケース１′に放熱することができ、駆動回路部８′の冷却効果を増大させることができる。
【００７３】
上記実施形態では、砲弾型及び角型の照明装置に本発明を適用した例を説明したが、本発明はこれに限定されない。本発明は、任意の形状を有する照明装置に適用可能である。
【００７４】
また、上記実施形態では、駆動回路部の放熱板をケース内壁に接触させて駆動回路部で発生した熱を放熱板及びケースを介して外部に放熱する構造の照明装置を説明したが、本発明はこれに限定されない。駆動回路部の回路本体部が直接ケースに接触するような構造にしてもよい。この場合、放熱板が必要なくなるので、さらに小型化が可能となる。
【００７５】
また、上記実施形態では、駆動回路部の中央に開口形状が円形の貫通穴を形成した例を説明したが、本発明はこれに限定されない。口金の外径より大きな径を有する貫通穴であれば、任意の開口形状を有する貫通穴を適用することができる。例えば、開口形状が矩形、多角形、楕円形等の貫通穴であってもよい。
【００７６】
また、上述実施形態では、ＨＩＤランプを使用した照明装置として構成した例について説明したが、その他の駆動回路部を必要とするランプを使った照明装置にも適用可能である。
【００７７】
また、上記実施形態では、放熱板をケースの内壁に面接触させる例を説明したが、本発明はこれに限定されない。放熱板がケースの外側に突き出るような構成にして、該放熱板をケースの外壁に面接触させるような構成にしてもよい。
【図面の簡単な説明】
【００７８】
【図１】図１は、本発明の第１実施形態に係る照明装置の概略断面図である。
【図２】図２（ａ）は、本発明の第１実施形態に係る駆動回路部（駆動装置）の上面図であり、図２（ｂ）は、図２（ａ）中のＡ−Ａ断面図である。
【図３】図３は、本発明の第１実施形態に係る駆動回路部（駆動装置）の回路ブロック図である。
【図４】図４は、口金と駆動回路部との接続構造を説明するための図である。
【図５】図５（ａ）は、本発明の第２実施形態に係る照明装置の上面図であり、図５（ｂ）は、図５（ａ）中のＢ−Ｂ断面図である。
【図６】図６（ａ）は、本発明の第２実施形態に係る駆動回路部（駆動装置）の上面図であり、図６（ｂ）は、図６（ａ）中のＡ−Ａ断面図である。
【符号の説明】
【００７９】
１…ケース、２…反射板、３…放電灯、４…口金、５…固定部材、６…回路部本体、６ａ…基材、６ｂ…電子回路群、６ｃ…絶縁部、７…放熱板、８…駆動回路部（駆動装置）、８ｃ…貫通穴、９…電気コード、１０…レンズ、６６…接続ピン、９０…コネクタ、１００…照明装置
【図１】
2009245868.tif 000003
【図２】
2009245868.tif 000004
【図３】
2009245868.tif 000005
【図４】
2009245868.tif 000006
【図５】
2009245868.tif 000007
【図６】
2009245868.tif 000008